(57)【要約】【課題】画面上のノイズを抑制する。【解決手段】チューナを介して受信した放送に含まれる映像信号に基づく映像表示を表示パネルに実行させるテレビジョンであって、上記映像信号の周波数をカウントし、当該カウントした周波数と、上記表示パネルを駆動するために予め設定されている駆動周波数との差が所定の数値範囲内である場合、当該予め設定されている駆動周波数を、当該数値範囲外の異なる駆動周波数へ変更して上記表示パネルを駆動させる周波数制御手段を備える構成とした。【選択図】図１
2012253720.tif 000002
【特許請求の範囲】
【請求項１】
チューナを介して受信した放送に含まれる映像信号に基づく映像表示を表示パネルに実行させるテレビジョンであって、
上記映像信号の周波数をカウントし、当該カウントした周波数と、上記表示パネルを駆動するために予め設定されている駆動周波数との差が所定の数値範囲内である場合、当該予め設定されている駆動周波数を、当該数値範囲外の異なる駆動周波数へ変更して上記表示パネルを駆動させる周波数制御手段を備えることを特徴とするテレビジョン。
【請求項２】
上記数値範囲は、上記映像信号の周波数と上記予め設定されている駆動周波数とが互いに干渉してノイズを発生させるほど近似していることを示す数値範囲であることを特徴とする請求項１に記載のテレビジョン。
【請求項３】
上記周波数制御手段は、上記予め設定されている駆動周波数を変更する場合は、映像信号の周波数から１０Ｈｚ以上異なる値へ変更することを特徴とする請求項１または請求項２に記載のテレビジョン。
【発明の詳細な説明】
【技術分野】
【０００１】
本発明は、テレビジョンに関する。
【背景技術】
【０００２】
テレビジョンにおいては、チューナを介して受信した放送に含まれる映像信号に基づく映像表示を、表示パネルを所定の駆動周波数で駆動して実行する。
【０００３】
ここで関連技術として、垂直又は水平周波数の変化を検出し、当該変化に応じたゲートオン電圧を出力する液晶表示装置の駆動方法が知られている（特許文献１参照。）。また、画像信号を光源信号と同期する同期信号に変換して液晶パネルを駆動する構成が知られている（特許文献２参照。）。また、調光信号のパルス幅変調周波数と垂直同期信号の周波数とを比較し、パルス幅変調周波数を任意に設定する液晶表示装置が知られている（特許文献３参照。）。
【先行技術文献】
【特許文献】
【０００４】
【特許文献１】特開２００４‐８６１４６号公報
【特許文献２】特開２００７‐２２５８４９号公報
【特許文献３】特開平１０‐２１３７８９号公報
【発明の概要】
【発明が解決しようとする課題】
【０００５】
ここで、入力した映像信号が持つ周波数と、テレビジョンの表示パネルを駆動するためにタイミングコントローラに設定されている駆動周波数（１分間に表示パネルにフレームを表示する回数）との間に、僅かなずれがある場合、この僅かなずれに起因して周波数の干渉が起こり、表示パネル上に画質を劣化させるノイズが表れることがある。上記文献では、このような原因で発生するノイズへの対策は採られていなかった。
【０００６】
本発明は上記課題を解決するためになされたものであり、表示画面に表れるノイズを抑制することが可能なテレビジョンを提供する。
【課題を解決するための手段】
【０００７】
本発明の態様の一つは、チューナを介して受信した放送に含まれる映像信号に基づく映像表示を表示パネルに実行させるテレビジョンであって、上記映像信号の周波数をカウントし、当該カウントした周波数と、上記表示パネルを駆動するために予め設定されている駆動周波数との差が所定の数値範囲内である場合、当該予め設定されている駆動周波数を、当該数値範囲外の異なる駆動周波数へ変更して上記表示パネルを駆動させる周波数制御手段を備える構成としてある。
【０００８】
当該構成によれば、入力した映像信号の周波数と表示パネルを駆動するために予め設定されている駆動周波数との差が所定の数値範囲内であるほどに近い場合、当該予め設定されている駆動周波数を、当該数値範囲外の異なる駆動周波数へ変更して上記表示パネルを駆動させる。そのため、入力した映像信号が持つ周波数と表示パネルの駆動周波数との間に僅かなずれが存在することに起因するノイズの発生を確実に抑えることができる。
【図面の簡単な説明】
【０００９】
【図１】テレビジョンの要部を概略的に示したブロック図である。
【発明を実施するための形態】
【００１０】
本発明の実施形態として、上記数値範囲は、上記映像信号の周波数と上記予め設定されている駆動周波数とが互いに干渉してノイズを発生させるほど近似していることを示す数値範囲であるとしてもよい。
また、本発明の実施形態として、上記周波数制御手段は、上記予め設定されている駆動周波数を変更する場合は、映像信号の周波数から１０Ｈｚ以上異なる値へ変更する構成としてもよい。
【００１１】
以下、図面を参照しながら本発明の実施形態を説明する。
図１は、本実施形態にかかるテレビジョン１０の要部を概略的に示したブロック図である。テレビジョン１０においては、ＲＦチューナ１１が、高周波（ＲＦ）信号としてのデジタルテレビジョン放送信号をアンテナ１８を介して受信する。ＲＦチューナ１１は、受信した放送信号を中間周波（ＩＦ）信号に周波数変換する。放送信号から周波数変換されたＩＦ信号はデモジュレータ１２に出力される。
【００１２】
デモジュレータ１２は、入力された信号をＡ／Ｄ変換するとともに、変換後のデジタル信号からトランスポートストリーム（ＴＳ）を抽出する。またデモジュレータ１２は、ＴＳのスクランブルを解除する処理を行なう。スクランブルが解除されたＴＳは、複数のトランスポートパケットが多重化された状態であり、各トランスポートパケットには映像信号や音声信号が格納されている。デモジュレータ１２は、そのときユーザによってリモコン装置等を介して選局されているチャンネルに対応する映像信号（および音声信号）をＴＳから抽出する。
【００１３】
ＴＳから抽出された映像信号（および音声信号）はＭＰＥＧ規格に従って符号化（エンコード）された状態であるため、ＭＰＥＧデコーダ１３は映像信号（および音声信号）をＭＰＥＧ規格に従って復号化（デコード）する。ＭＰＥＧデコーダ１３は、復号化した映像信号をスケーラ１４に出力する。スケーラ１４は、入力された映像信号に対して、液晶パネル１６（表示パネル）の画素数に応じたスケーリング処理（解像度変換処理）や、色補正処理、エッジ強調処理などの各種画像処理を必要に応じて実行し、１画面分の画像を表したデータであるフレームを生成する。タイミングコントローラ（Ｔ‐ＣＯＮ）１５は、入力したフレームをフレームメモリ（図示せず）に一時的に保存しつつ、当該保存したフレームに対応する駆動信号を所定のタイミングで液晶パネル１６に出力することにより、画素の配列により構成された液晶パネル１６の各画素を駆動して液晶パネル１６に映像を表示させる。
【００１４】
このときＴ‐ＣＯＮ１５は、マイクロコンピュータ等で構成された周波数コントローラ１７によって予め設定されている垂直周波数（駆動周波数）に従った数のフレームを１秒間に液晶パネル１６に表示させる。この駆動周波数は、例えば、５０Ｈｚや６０Ｈｚなどである。周波数コントローラ１７は、周波数制御手段に該当する。
【００１５】
図示は省略しているが、テレビジョン１０は上述した構成以外にも上記デコードされた音声信号に基づく音声出力を行うための音声信号回路やスピーカ、テレビジョン１０の各部に駆動用電源を供給するための電源回路など、ＴＶとして一般的な構成を備える。
【００１６】
周波数コントローラ１７は、上記映像信号（例えば、ＭＰＥＧデコーダ１３がスケーラ１４に出力した映像信号）の周波数をカウントする。ここで言う映像信号の周波数とは、例えば、映像信号のフレームレートである。周波数コントローラ１７は、カウントした周波数と、液晶パネル１６を駆動するために予め設定している上記駆動周波数との差が所定の数値範囲内であるか否か判定する。例えば、上記駆動周波数が５０Ｈｚに設定されており、映像信号の周波数も５０Ｈｚに設定されているとする。しかしながら、実際にこれらの周波数が完全に一致することは殆ど無く、上記カウントした結果は、５０Ｈｚから僅かなずれ（例えば、０．１Ｈｚ程度のずれ）があったりする。そのため、周波数コントローラ１７は、上記カウントした周波数が、液晶パネル１６を駆動するために予め設定している上記駆動周波数を中心とした所定の数値範囲に属しているか否か判定し、属している場合には、上記駆動周波数を、当該数値範囲外の異なる駆動周波数へ変更し、変更後の駆動周波数により、Ｔ‐ＣＯＮ１５に液晶パネル１６を駆動させる。
【００１７】
上記数値範囲は、映像信号の周波数と上記駆動周波数とが互いに干渉してノイズを発生させるほど近似していることを示す数値範囲である。周波数コントローラ１７は、例えば、上記駆動周波数が５０Ｈｚである場合、上記カウントした結果が４９．５Ｈｚ〜５０．５Ｈｚの範囲に属していれば、カウントした周波数と上記駆動周波数との差が所定の数値範囲内であると判定し、上記駆動周波数を例えば６０Ｈｚに変更する。また、周波数コントローラ１７は、例えば、上記駆動周波数が６０Ｈｚである場合、上記カウントした結果が５９．５Ｈｚ〜６０．５Ｈｚの範囲に属していれば、カウントした周波数と上記駆動周波数との差が所定の数値範囲内であると判定し、上記駆動周波数を例えば５０Ｈｚに変更する。このように上記予め設定されている駆動周波数を変更する場合は、映像信号の周波数から１０Ｈｚ以上異なる値へ変更することが望ましい態様の一つであると言える。１０Ｈｚ程度離れていれば、上述したような干渉によるノイズは発生しないと言えるからである。
【００１８】
このように本実施形態によれば、テレビジョン１０では、入力した映像信号の周波数と液晶パネル１６を駆動するために予め設定されている駆動周波数とが所定の数値範囲内に収まるほどに近くかつ不一致である場合（現実に完全一致することは無いと考えられる。）、当該予め設定されている駆動周波数を、当該数値範囲外の異なる駆動周波数へ変更して液晶パネル１６を駆動させる。そのため、入力した映像信号が持つ周波数と液晶パネル１０の駆動周波数との間に僅かなずれが存在することに起因して画面上に発生し得るノイズを、確実に抑えることができる。
【符号の説明】
【００１９】
１０…テレビジョン、１１…ＲＦチューナ、１２…デモジュレータ、１３…ＭＰＥＧデコーダ、１４…スケーラ、１５…Ｔ‐ＣＯＮ、１６…液晶パネル、１７…周波数コントローラ
【図１】
2012253720.tif 000003